(57)【特許請求の範囲】
【請求項１】
光源からの光ビームを回折してメインビームとこのメインビームより時間的に後方に位置するサブビームとを出射すると共に、前記メインビームによる反射光を受光するメイン受光領域と前記サブビームによる反射光を受光するサブ受光領域とが設けられた光検出器を備える光学ヘッドにおける信号読み取り方法であって、光検出器の各サブビームに対応する各受光領域にそれぞれ対応してその各受光領域から出力される各受光出力をそれぞれ独立して電流信号から電圧信号に変換する各電流電圧変換アンプを備えると共に、この各電流電圧変換アンプの後段にそれぞれ独立してゲイン調整用の各バッファアンプを備え、前記各バッファアンプからそれぞれ前記各受光領域の各受光出力を光検出器用半導体集積回路より導出させると共に、メインビームより時間的に後方に位置するサブビームによる読み取り信号をこの信号経路のバッファアンプの前段から光検出器用半導体集積回路より導出してメインビームにより記録された記録信号を読み取るようにしたことを特徴とする光学ヘッドにおける信号読み取り方法。
【請求項２】
前記メインビームを回折光の０次ビームとし、この０次ビームと回折光の±１次ビームを使用してトラッキング制御に差動プッシュプル法を採用し、前記±１次ビームをそれぞれ受光する各サブ受光領域が２分割された光検出器を有する光学ヘッドにおいて、前記サブ受光領域のうち、時間的に後方に位置するサブビームから得られる反射光を受光するサブ受光領域の２分割された一方の分割領域から出力される受光出力を用いて前記メインビームにより記録された記録信号を読み取ることを特徴とする請求項１記載の光学ヘッドにおける信号読み取り方法。
【請求項３】
前記メインビームを回折光の０次ビームとし、この０次ビームと回折光の±１次ビームを使用してトラッキング制御に差動プッシュプル法を採用し、前記±１次ビームをそれぞれ受光する各サブ受光領域が２分割された光検出器を有する光学ヘッドにおいて、前記サブ受光領域のうち、時間的に後方に位置するサブビームから得られる反射光を受光するサブ受光領域の２分割された各分割領域から出力される受光出力を合成して前記メインビームにより記録された記録信号を読み取ることを特徴とする請求項１記載の光学ヘッドにおける信号読み取り方法。
【請求項４】
前記サブビームが照射されて形成されるサブスポットの位置を、前記メインビームが照射されて形成されるメインスポットの位置から信号トラック間の距離をＰとした際に（２ｋ−１）Ｐ／４（ｋは自然数）の式が成立する位置分、前記メインスポッ
トから信号トラックの直交方向にずらしたことを特徴とする請求項１記載の光学ヘッドにおける信号読み取り方法。
【請求項５】
前記サブビームによる読み取り信号の信号経路上の電流電圧変換アンプは記録速度が最高速に設定された際の光学ヘッドの発光出力の記録レベル時に対応する受光出力によって飽和しないゲインに設定されていることを特徴とする請求項１記載の光学ヘッドにおける信号読み取り方法。
【発明の詳細な説明】
【０００１】
【発明の属する技術分野】
本発明は、光源からの光ビームを回折してメインビームとこのメインビームより時間的に後方に位置するサブビームとを出射する光学ヘッドを用い、前記サブビームからメインビームにより記録された記録信号を読み取るようにした光学ヘッドにおける信号読み取り方法に関し、特に、メインビームによる記録状態を検出するのに好適な光学ヘッドにおける信号読み取り方法に関する。
【０００２】
【従来の技術】
光学ヘッドからの光ビームを用いてディスクにデジタルの記録信号を記録する光ディスク記録装置としては、ＣＤ（Compact Disc）ファミリーのＣＤ−Ｒ（Recordable）及びＣＤ−ＲＷ（ReWritable）に対応するＣＤ−Ｒ／ＲＷドライブが良く知られている。
【０００３】
このような光ディスク記録装置により記録されるディスクは、材質の違いにより製造メーカーによる記録感度差を有していたり、バラツキにより個体差による記録感度差を有していたり、あるいはムラにより同一ディスク内での記録感度差を有している。
【０００４】
その為、光ディスク記録装置においては、記録時に光学ヘッドから出射される発光出力がそれらの記録感度差を補償するべく制御し、光学ヘッドの発光出力をディスクの記録に最適な最適記録レベルに設定する必要がある。
【０００５】
ＣＤ−Ｒにおいては、記録速度を定格速度の二十数倍にまで高速化が図られているので、記録条件を厳密に設定する必要があり、ディスク記録の動作中において、ディスクに記録された記録信号の記録状態を検出して光学ヘッドの発光出力を制御する、いわゆるランニングＯＰＣ（Optimum  Power  Control）を行う必要が生じる。
【０００６】
【発明が解決しようとする課題】
ところで、前述のランニングＯＰＣを行うには、ディスクに記録された記録信号の記録状態を検出する必要があるが、記録動作中に実際の記録信号の記録状態を検出するのは困難であるので、記録信号を記録する記録パルスの反射レベルを検出して記録状態を検出する方法が実施されているが、これは記録状態を実際に検出しているのではないので、設定される光学ヘッドの発光出力が実際の最適記録レベルに合っていない問題があった。
【０００７】
その為、光学ヘッドからディスクに照射される光ビームとして記録に実際に用いられるメインビームの他に時間的に後方に位置するサブビームを形成し、このサブビームにより前記メインビームにより記録された記録信号を読み取って記録状態を検出することが考えられる。
【０００８】
しかしながら、光ディスク記録装置の場合、一般にトラッキング制御に差動プッシュプル法を採用し、光学ヘッドの回折光の０次ビームをメインビームに使用し、回折光の±１次ビームをトラッキング制御用の先行及び後方の各サブビームとして使用しており、この各サブビームにより形成される各サブスポットはトラッキング制御信号が最適に得られる位置、すなわちメインビームにより形成されるメインスポットがオントラック上に配置される状態において前記各サブスポットが信号トラック間の略中央に設定されるので、前記サブビームの時間的に後方のものを使用しても良好に記録信号が読み取れない問題があった。
【０００９】
また、光学ヘッドの回折光の±２次ビームのうち、時間的に後方のサブビームを用いることも考えられるが、回折光の±２次ビームの光量は±１次ビームに比べても更に著しく低下するので、読み取った記録信号がＳ／Ｎの点で好ましくない。
【００１０】
【課題を解決するための手段】
本発明は、光検出器の各サブビームに対応する各受光領域にそれぞれ対応してその各受光領域から出力される各受光出力をそれぞれ独立して電流信号から電圧信号に変換する各電流電圧変換アンプを備えると共に、この各電流電圧変換アンプの後段にそれぞれ独立してゲイン調整用の各バッファアンプを備え、前記各バッファアンプからそれぞれ前記各受光領域の各受光出力を光検出器用半導体集積回路より導出させると共に、メインビームより時間的に後方に位置するサブビームによる読み取り信号をこの信号経路のバッファアンプの前段から光検出器用半導体集積回路より導出してメインビームにより記録された記録信号を読み取るようにしている。
【００１１】
【実施例】
図１は本発明に係る光学ヘッドにおける信号読み取り方法を実現した光学ヘッドの信号読み取り回路の回路図であり、トラッキング制御として差動プッシュプル方式に対応した例を示している。
【００１２】
図１において、光学ヘッド（図示せず）により回折格子により回折されて記録信号の書き込みを行うメインビームとなる回折光の０次ビームと、トラッキング制御に用いられる先行及び後方の各サブビームとなる回折光の±１次ビームとが形成され、それらの各ビームがディスクに照射されている状態を示している。
【００１３】
それらの各ビームは、各サブビームがそれぞれ照射されて形成される各サブスポットＳｓ１，Ｓｓ２の位置を、メインビームが照射されて形成されるメインスポットＳｍの位置から信号トラック間の距離をＰとした際に（２ｋ−１）Ｐ／４（ｋは自然数）の式が成立する位置分、前記メインスポットＳｍから信号トラックの直交方向、換言すると、ディスクのラジアル方向にずらして配置される。
【００１４】
すなわち、各サブスポットＳｓ１，Ｓｓ２の位置は、信号トラック間の中心から信号トラックの方に信号トラック間の距離Ｐの１／４分だけずれて信号トラックと信号トラック間とが略同一幅の場合、前記サブスポットＳｓ１，Ｓｓ２の中心位置が信号トラックのエッジ部分に合わせられる。
【００１５】
図１においては前述の式でｋ＝１とした場合の実施例を示し、メインスポットＳｍがディスクの信号トラックｎ上に正しく配置される状態において、サブスポットＳｓ１は内周側の半分が信号トラックｎに、外周側の半分が信号トラックｎと外周側の隣接信号トラック（ｎ＋１）との間にそれぞれ投影されるように配置され、サブスポットＳｓ２は外周側の半分が信号トラックｎに、内周側の半分が信号トラックｎと内周側の隣接信号トラック（ｎ−１）との間にそれぞれ投影されるように配置される。
【００１６】
光学ヘッドにはメインビーム及び各サブビームがディスクにより反射される各反射光を受光する光検出器が備えられ、この光検出器は前記メインビーム及び前記各サブビームの各反射光をそれぞれ受光するメイン受光領域A及び一対のサブ受光領域B，Cを備えている。
【００１７】
前記メイン受光領域A及び一対のサブ受光領域B，Cは、ディスクの信号トラックの方向に対応する方向の分割線により少なくともそれぞれ２分割されており、その分割された前記メイン受光領域A及び一対のサブ受光領域B，Cの各分割領域はそれぞれ受光量に対応した受光出力を発生する。
【００１８】
尚、フォーカス制御に非点収差法を使用する場合においては、少なくともメイン受光領域Aを十字状に４分割するが、フォーカスエラー信号の生成に関しては要旨に関係しないので、説明を簡単にするため、メイン受光領域Aを２分割で示している。
【００１９】
光検出器のメイン受光領域Aの各分割領域はそれぞれ受光出力ａ１及びａ２を発生し、サブ受光領域Bの各分割領域はそれぞれ受光出力ｂ１及びｂ２を発生し、サブ受光領域C の各分割領域はそれぞれ受光出力ｃ１及びｃ２を発生する。
【００２０】
メイン受光領域Aの各分割領域から発生されるそれぞれの受光出力ａ１及びａ２は第１差動アンプ１によりその受光出力ａ１及びａ２の差分出力（ａ１−ａ２）が得られ、サブ受光領域Bの各分割領域から発生されるそれぞれの受光出力ｂ１及びｂ２は第２差動アンプ２によりその受光出力ｂ１及びｂ２の差分出力（ｂ１−ｂ２）が得られ、サブ受光領域Cの各分割領域から発生されるそれぞれの受光出力ｃ１及びｃ２は第３差動アンプ３によりその受光出力ｃ１及びｃ２の差分出力（ｃ１−ｃ２）が得られる。
【００２１】
第２差動アンプ２による差分出力（ｂ１−ｂ２）と第３差動アンプ３による差分出力（ｃ１−ｃ２）とは、互いの出力レベルを合わせるべく一方の差動アンプ、この場合第３差動アンプ３の差分出力（ｃ１−ｃ２）がレベル調整アンプ４によるゲインｇ１によりレベル調整されて、その後、加算器５により加算される。この加算器５により得られる第２差動アンプ２による差分出力（ｂ１−ｂ２）とレベル調整された第３差動アンプ３の差分出力ｇ１（ｃ１−ｃ２）とを加算した加算出力（ｂ１−ｂ２）＋ｇ１（ｃ１−ｃ２）は、更にレベル調整アンプ６によるゲインｇ２によりレベル調整されて第１差動アンプ１による差分出力（ａ１−ａ２）とのレベル調整が行われた後、第４差動アンプ７に入力される。
【００２２】
その為、この第４差動アンプ６は、レベル調整アンプ６によりレベル調整した加算器５による加算出力ｇ２（（ｂ１−ｂ２）＋ｇ１（ｃ１−ｃ２））と第１差動アンプ１による差分出力（ａ１−ａ２）との差分出力｛（ａ１−ａ２）−ｇ２（（ｂ１−ｂ２）＋ｇ１（ｃ１−ｃ２））｝を発生する。
【００２３】
ここで、図１においては前述したように、メインスポットＳｍがディスクの信号トラックｎ上に正しく配置されるオントラック状態において、サブスポットＳｓ１は内周側の半分が信号トラックｎに、外周側の半分が信号トラックｎと外周側の隣接信号トラック（ｎ＋１）との間にそれぞれ投影されるように配置され、サブスポットＳｓ２は外周側の半分が信号トラックｎに、内周側の半分が信号トラックｎと内周側の隣接信号トラック（ｎ−１）との間にそれぞれ投影されるように配置されている。
【００２４】
その為、各サブビームの反射光にはメインビームのトラッキング制御に関わる信号成分が含まれ、また、メインビームより時間的に後方のサブビームの反射光にはメインビームにより記録された記録信号成分、この場合は信号トラックｎの記録信号成分が含まれている。
【００２５】
したがって、この第４差動アンプ７からの出力信号は、メインビームとディスクの信号トラックｎとのズレ量及びズレ方向に応じてそれぞれ出力レベル及び極性が変化するトラッキング誤差に対応したトラッキングエラー信号（ＴＥ信号）となる。
【００２６】
この場合、図１に示す各光スポットの配置にすると、トラッキングエラー信号がサブスポットＳｓ１，Ｓｓ２をそれぞれ信号トラック間の中央に配置した場合に得られるトラッキングエラー信号の最大感度の半分程度となることが確認されているが、メインビームのトラッキング制御を差し支えなく行うことが出来る。
【００２７】
次に、ディスクの信号トラックに記録された記録信号を光学ヘッドによって読み取ったＨＦ信号（高周波信号）の抽出について説明する。
【００２８】
メイン受光領域Aの各分割領域から出力される各受光出力ａ１及びａ２は、加算アンプ８により加算出力（ａ１＋ａ２）が得られる。
【００２９】
この加算アンプ８による加算出力（ａ１＋ａ２）はメインスポットＳｍ全域におけるメインビームの反射光となるので、前記加算アンプ８による加算出力（ａ１＋ａ２）は信号トラックに記録された記録信号に対応するＨＦ信号であり、このＨＦ信号はＨＦアンプ９により増幅されて後段に設けられるデコーダ１０により信号再生される。
【００３０】
一方、メインビームより時間的に後方のサブビームに対応するサブスポットＳｓ２は、ディスクの外周側の略半分が信号トラックｎに照射され、この信号トラックｎに照射するサブスポットＳｓ２の半分側に対応するサブ受光領域Cの一方の分割領域から発生される受光出力ｃ２が演算されずにそのまま第２ＨＦアンプ１１に導かれるようになっている。
【００３１】
メインビームより時間的に後方のサブビームの反射光にはメインビームにより記録された記録信号成分、この場合は信号トラックｎの記録信号成分が含まれているので、前記サブ受光領域Cの一方の分割領域から発生される受光出力ｃ２は信号トラックｎの記録信号に対応するＨＦ信号である。その為、第２ＨＦアンプ１１からはメインビームが照射される位置より時間的に後方の位置からの信号トラックｎの記録信号に対応するＨＦ信号が出力される。
【００３２】
ここで、先に述べた如く、メインビームのオントラック状態において、サブスポットＳｓ２は外周側の半分が信号トラックｎ上に配置されているので、サブ受光領域Cの一方の分割領域における受光出力ｃ２から振幅が最大となるＨＦ信号が得られ、逆に、サブスポットＳｓ２の位置を設定する際に、前記受光出力ｃ２の振幅を監視して、その振幅が最大となるように設定している。
【００３３】
尚、上述の説明では記録動作中にＨＦ信号を読み取るのにサブ受光領域Cの一方の分割領域における受光出力ｃ２を用いているが、クロストーク成分等によりサブ受光領域Cのもう一方の分割領域における受光出力ｃ１にも信号トラックｎの記録信号成分が含まれているので、図１の点線部分に示すように第２ＨＦアンプ１１にサブ受光領域Cの各分割領域における受光出力ｃ１及びｃ２の両方を合成することによりＨＦ信号のＳ／Ｎを良好に出来る場合があり、その場合は前記受光出力ｃ１及びｃ２を合成した加算出力を用いてＨＦ信号を得ることが好ましい。
【００３４】
また、上述の説明では各サブスポットＳｓ１，Ｓｓ２の位置を、メインスポットＳｍの位置から信号トラック間の距離をＰとした際に成立する式（２ｋ−１）Ｐ／４（ｋは自然数）のｋ＝１の場合を示したが、ｋ＝１以外でもサブスポットＳｓ２による照射位置がディスクの内周側にＰ／４ずつずれてサブスポットＳｓ２により照射される信号トラックが相違する信号トラックになったり、サブスポットＳｓ２における信号トラックに配置される半分側が変わるが、各サブビームの反射光にはメインビームのトラッキング制御に関わる信号成分が含まれ、また、メインビームより時間的に後方のサブビームの反射光にはメインビームにより記録された記録信号成分が含まれているので、トラッキングエラー信号を生成出来ると共に、後方のサブビームによりＨＦ信号を読み取ることが出来る。
【００３５】
ところで、第２ＨＦアンプ１１から出力されるＨＦ信号は、メインビームによりディスクに記録信号を記録している記録動作中に取り出される。前記ＨＦ信号は信号トラックにおけるメインビームによる記録信号の記録位置より時間的に少し遅れた位置の記録信号に対応しているので、このＨＦ信号はメインビームにより直前に記録された記録信号の記録状態が反映されている。
【００３６】
その為、第２ＨＦアンプ１１から出力されるＨＦ信号を用いてβ値検出回路１２によりβ値（記録の深さ）を検出したり、ジッタ量検出回路１３により記録信号のジッタ量を検出してメインビームにより直前に実際に記録された記録信号の記録状態を検出することが出来る。
【００３７】
この場合、ディスクに記録する記録信号に応じて光学ヘッドの発光出力を変化させるために後方のサブビームのレーザー光量もその記録信号に応じて変化する。その為、後方のサブビームにより読み取られるＨＦ信号を正しいレベルで抽出するために信号抽出回路１４が設けられている。
【００３８】
この信号抽出回路１４は、例えばサンプルホールド回路で、ディスク記録時における光学ヘッドの発光出力が記録レベル及び記録休止レベルの一方の所定レベルになった期間に前記サブビームにより読み取られたＨＦ信号をサンプルするようにして波形情報の欠落があるものの正しいレベルのＨＦ信号が得られるようにする。
【００３９】
あるいは、前記信号抽出回路１４は、例えばレベル調整回路で、光学ヘッドの発光出力の記録レベル期間及び記録休止レベル（一般に再生レベル）期間のそれぞれで別のゲインにより増幅して後方のサブビームに対応するサブ受光領域Ｃから得られる受光出力ｃ２（及び若しくはｃ１）がその記録レベルと記録休止レベル（再生レベル）とで同一レベルに調整されて正しいレベルのＨＦ信号が得られるようにする。
【００４０】
ところで、光検出器の各受光領域から得られる各受光出力は、それぞれ独立して各電流電圧変換アンプによって電流信号から電圧信号に変換されて各種信号の生成に用いられる。
【００４１】
従来においては、これら各電流電圧変換アンプ１段により各種信号を生成するのに適切な電圧レベルまで増幅しており、各電流電圧変換アンプのゲインは前記電圧レベルまで増幅するように設定されていた。
【００４２】
そのうち、各サブビームに対応する各サブ受光領域の各受光領域毎の各受光出力はトラッキングエラー信号を生成するのにのみ使用していたので、光学ヘッドの発光出力が再生レベル時に最適な受光出力となるように設定されており、光学ヘッドの発光出力が記録レベル時になり、特に，記録速度が最高速度に設定されてその最高速に対応して光学ヘッドの発光出力の記録レベルが最大になると、各電流電圧変換アンプが飽和してしまう。因みに、この飽和状態においてもトラッキングエラー信号を生成するのに差し支えない。
【００４３】
しかしながら、本発明においては、トラッキングエラー信号を生成するのに使用するサブビームのうち、メインビームより時間的に後方のサブビームからＨＦ信号を抽出するようにしているので、後方のサブビームに対応するサブ受光領域の各分割領域毎の各受光出力が入力される各電流電圧変換アンプが飽和してしまうと正しいレベルのＨＦ信号が抽出出来ない。
【００４４】
その為、図１におけるサブ受光領域B及びＣの各分割領域からそれぞれ発生される受光出力ｂ１，ｂ２及びｃ１，ｃ２を取り出す信号取り出し回路は、光検出器用半導体集積回路（いわゆるＰＤＩＣ）により構成され、図２に示す如く構成されている。
【００４５】
図２において、サブ受光領域B及びＣの各分割領域からそれぞれ発生される受光出力ｂ１，ｂ２及びｃ１，ｃ２は、それぞれ独立して電流電圧変換アンプ１５，１６及び１７，１８により電流信号から電圧信号に変換される。
【００４６】
前記各電流電圧変換アンプ１５，１６及び１７，１８により電圧信号に変換された各受光出力ｂ１，ｂ２及びｃ１，ｃ２は、更にそれぞれ独立して各バッファアンプ１９，２０及び２１，２２に供給され増幅されてＰＤＩＣの各出力端子２３，２４及び２５，２６に導出される。
【００４７】
ＰＤＩＣの各出力端子２３，２４及び２５，２６に導出される各受光出力ｂ１，ｂ２及びｃ１，ｃ２が、それぞれ図１における第２及び第３差動アンプ２及び３に供給される。
【００４８】
ところで、ＰＤＩＣの各出力端子２３，２４及び２５，２６に導出される各受光出力ｂ１，ｂ２及びｃ１，ｃ２の電圧レベルは、それぞれ各電流電圧変換アンプ１５，１６及び１７，１８のゲインと各バッファアンプ１９，２０及び２１，２２のゲインとの合成により設定され、前述の従来レベルが確保されている。
【００４９】
一方、各電流電圧変換アンプ１５，１６及び１７，１８の単独のゲインは、記録速度が最高速に設定された際に光学ヘッドの発光出力が記録レベル時において入力される各受光出力ｂ１，ｂ２及びｃ１，ｃ２が飽和しないレベルとなるように設定されている。
【００５０】
そして、後方のサブビームに対応するサブ受光領域Ｃの一方の分割領域による受光出力ｃ２は、電流電圧変換アンプ１８を介した直後のバッファアンプ２２の前段からＰＤＩＣの出力端子２７に導出される。この出力端子２７に導出される受光出力ｃ２が、図１における第２ＨＦアンプ１１に供給される。
【００５１】
その為、光学ヘッドの発光出力が記録レベル時において、前記出力端子２７から導出される受光出力ｃ２により飽和してない正しいレベルのＨＦ信号が抽出出来る。
【００５２】
尚、ＨＦ信号を抽出しない他の受光出力ｂ１，ｂ２及びｃ１の信号経路においてもＨＦ信号を抽出する受光出力ｃ２と同様に電流電圧変換アンプ及びバッファアンプにより構成され、各出力端子２３，２４，２５，２６から導出される各出力特性が揃えられている。
【００５３】
【発明の効果】
以上のとおり、本発明は、各サブビームに対応する各受光領域の各受光出力をそれぞれ各電流電圧変換アンプ及び各バッファアンプにより増幅して光検出器用半導体集積回路より導出させると共に、メインビームより時間的に後方に位置するサブビームにより読み取った記録信号を電流電圧変換アンプを介した後、バッファアンプの前段から光検出器用半導体集積回路より導出するようにしているので、光検出器用半導体集積回路より導出される各受光出力を適切な電圧レベルに増幅するようにしながら、光学ヘッドの発光出力の記録レベル時において、電流電圧変換アンプを飽和させずに正しいレベルの記録信号を抽出することが出来る。
【００５４】
また、差動プッシュプル法を採用した場合において、回折光の±１次ビームに対応するサブ受光領域が信号トラック方向に２分割されているが、メインビームに対応する光スポットがオントラック状態において後方のサブビームに対応する光スポットの半分が信号トラックに配置されるようにしているので、サブ受光領域の一方の分割領域から良質な記録信号を得ることが出来る。
【００５５】
また、時間的に後方に位置するサブビームに対応するサブ受光領域の２分割された各分割領域から出力される受光出力を合成すれば、記録信号成分を主に取り出すサブ受光領域の一方の分割領域とは相違する前記サブ受光領域のもう一方の分割領域に漏れ込んだ記録信号成分を有効に利用することができる。
【図面の簡単な説明】
【図１】本発明に係る光学ヘッドにおける信号読み取り方法を実現した光学ヘッドの信号読み取り回路の回路図である。
【図２】図１におけるサブ受光領域B及びＣの各分割領域からそれぞれ発生される受光出力ｂ１，ｂ２及びｃ１，ｃ２を取り出す信号取り出し回路を示す回路図である。
【符号の説明】
Ｓｍ          メインスポット
Ｓｓ１，Ｓｓ２          サブスポット
Ａ          メイン受光領域
Ｂ，Ｃ      サブ受光領域
１１          第２ＨＦアンプ
１５，１６，１７，１８      電流電圧変換アンプ
１９，２０，２１，２２      バッファアンプ
【図１】
0003946023.tif 000002
【図２】
0003946023.tif 000003